(57)【要約】      （修正有）【課題】ティーパックの取り出しや置き皿、ティーポットや急須等抽出に必要な道具の準備の煩わしさからの開放と自分の好みの茶葉等を使って好みの濃さで所定の飲料を楽しむ事が出来る飲料カップ、及び各種用途に使用できる容器を提供することを目的とするものである。【解決手段】カップ内にティーパック又はティーパックに入っていない茶葉等を入れる事ができる漉し器２ａを配し熱湯等の液体を注入することにより、所定の飲料を得る飲用カップ１において、そのカップ内を漉し器２ａが移動又は漉し器２ａが任意の場所に固定されることにより抽出、攪拌するとともに必要以上の抽出を防ぐ事ができる。【選択図】図１
2007244541.tif 000002
【特許請求の範囲】
【請求項１】
容器本体と漉し器、上記漉し器の操作棒とから成り、上記漉し器の胴部は筒状で、少なくとも一部に網体が張設してあり、上記操作棒は上記漉し器に設けられた接合部材により揺動可能に軸支され、上記容器内に配した上記漉し器を任意の位置に保持する為の保持部材を設けた容器。
【請求項２】
上記漉し器が、上記容器内を移動する際のガイドを上記容器に設けたことを特徴とする請求項１に記載の容器。
【請求項３】
上記操作棒は、ある一定の間隔を保った二重構造になっていて上記漉し器を上記容器内の底部に降着した時、上記操作棒の至端が上記容器の上端開口部より突出するだけの長さがあることを特徴とする請求項１記載の容器。
【請求項４】
上記漉し器本体と上記操作棒とを揺動可能に軸支している上記接合部材が上記保持部材によって担持されるときは上記漉し器本体は任意の場所に保持され、また、上記接合部材が上記保持部材によって担持されないときは上記漉し器本体は上記容器内の底部に降着されることを特徴とする請求項１記載の容器。
【請求項５】
上記接合部材が上記保持部材に担持され上記漉し器が任意の場所に保持される時、上記接合部材によって揺動可能に支軸された上記漉し器と上記操作棒との間に上記保持部材の幅より広い間隙が設けられていることを特徴とする請求項４記載の容器。
【請求項６】
上記容器内の底部から上記容器の上端開口部までの高さをＨ１とし
上記容器内の底部から上記保持部材までの高さをＨ２とし、
上記漉し器の高さをＨ３とし、
上記容器に液体を入れた時の高さをＨ４としたとき
Ｈ４＜Ｈ１であり、また
上記漉し器を上記容器内の液体内に保持するとき条件は
Ｈ４＞Ｈ３、
上記漉し器を上記容器内の液体内以外に保持するときの条件は
Ｈ４＜（Ｈ２−Ｈ３）、
また上記保持部材の高さＨ２の条件は
Ｈ２＞Ｈ３
上記の条件を満たした位置に上記保持部材を設けたことを特徴とする請求項４の容器。
【請求項７】
上記接合部材が上記支持部材に担持されている状態において
上記保持部材の幅をＬ１、
上記漉し器本体と上記操作棒との距離をＬ２、
上記保持部材と上記漉し器本体との距離をＬ３、
上記保持部材と上記操作棒との距離をＬ４、
上記保持部材と上記容器の内壁との距離をＬ５、
上記操作棒の幅をＬ６、
上記操作棒と上記容器の内壁との距離をＬ７、
上記漉し器本体と上記ガイドとの距離をＬ８としたとき
Ｌ１＜Ｌ２、
Ｌ６＜Ｌ５とし
Ｌ３、Ｌ４、Ｌ７、Ｌ８は上記漉し器本体や上記操作棒や上記保持部材や上記容器内壁や上記ガイドが滑合できる間隙をもっていることを特徴とする請求項４の容器。
【発明の詳細な説明】
【技術分野】
【０００１】
本発明は、各種の用途に使用可能な容器に関し、特に飲用カップとして好適な容器に関する。
【背景技術】
【０００２】
従来、飲用カップでティーパックを使用する時は自分の好みの濃度まで抽出された後のティーパックの取り出しや置き皿の準備等で煩わしいことがあった。
【０００３】
そして、いつまでも取り出さずにいると抽出されすぎてしまい味が濃く出過ぎて自分の好みの濃さの飲料を飲む事はできないし、本来なら複数回の抽出も可能なティーパックも一度の抽出で使用不可になってしまい、不経済な面があった。
【０００４】
また、従来の飲用カップはティーパックだけの使用に限られてしまいティーパックに入っていない茶葉等を使う場合、別にティーポットや急須等抽出に必要な道具を準備しなくてはいけなかった。
【発明の開示】
【発明が解決しようとする課題】
【０００５】
以上に述べた従来の飲用カップでは、ティーパックの取り出しや置き皿の準備等での煩わしさからティーパックを取り出さずに濃い飲料を仕方なく飲むことがあった。
またティーパックに入っていない茶葉等に関しては、別にティーポットや急須等抽出に必要な道具を準備する手間がかかっていた。
【０００６】
そこで、本発明はこのような従来の構成が有していた問題を解決しようとするものであり、ティーパックの取り出しや置き皿、ティーポットや急須等抽出に必要な道具の準備の煩わしさからの開放と自分の好みの茶葉等を使って好みの濃さで所定の飲料を楽しむ事が出来る飲用カップ、及び各種用途に使用できる容器を提供することを目的とするものである。
【課題を解決するための手段】
【０００７】
上述の目的を達成するために請求項１に記載の発明で、カップ本体と漉し器、上記漉し器の操作棒とから成り、上記漉し器の胴部は筒状で、少なくとも一部に網体が張設してあり、上記操作棒は上記漉し器に設けられた接合部材により揺動可能に軸支され、上記カップ内に配した上記漉し器を任意の位置に保持する為の保持部材を設けたものである。
【０００８】
また請求項２に記載の発明で上記漉し器が、上記カップ内を移動する際のガイドを上記カップに設けたものである。
【０００９】
また請求項３に記載の発明で上記操作棒は、ある一定の間隔を保った二重構造になっていて上記漉し器を上記カップ内の底部に降着した時、上記操作棒の至端が上記カップの上端開口部より突出するだけの長さをもったものである。
【００１０】
また請求項４に記載の発明で上記漉し器本体と上記操作棒とを揺動可能に軸支している上記接合部材が上記保持部材によって担持されるときは上記漉し器本体は任意の場所に保持され、また、上記接合部材が上記保持部材によって担持されないときは上記漉し器本体は上記カップ内の底部に降着されるものである。
【００１１】
また請求項５に記載の発明で上記接合部材が上記保持部材に担持され上記漉し器が任意の場所に保持される時、上記接合部材によって揺動可能に支軸された上記漉し器と上記操作棒との間に上記保持部材の幅より広い間隙が設けられているものである。
【００１２】
また請求項６に記載の発明で上記カップ内の底部から上記カップの上端開口部までの高さをＨ１とし
上記カップ内の底部から上記保持部材までの高さをＨ２とし、
上記漉し器の高さをＨ３とし、
上記カップに液体を入れた時の高さをＨ４としたとき
Ｈ４＜Ｈ１であり、また
上記漉し器を上記カップ内の液体内に保持するとき条件は
Ｈ４＞Ｈ３、
上記漉し器を上記カップ内の液体内以外に保持するときの条件は
Ｈ４＜（Ｈ２−Ｈ３）、
また上記保持部材の高さＨ２の条件は
Ｈ２＞Ｈ３、
上記の条件を満たした位置に上記保持部材を設けるものである。
【００１３】
また請求項７に記載の発明で上記接合部材が上記支持部材に担持されている状態において
上記保持部材の幅をＬ１、
上記漉し器本体と上記操作棒との距離をＬ２、
上記保持部材と上記漉し器本体との距離をＬ３、
上記保持部材と上記操作棒との距離をＬ４、
上記保持部材と上記カップの内壁との距離をＬ５、
上記操作棒の幅をＬ６、
上記操作棒と上記カップの内壁との距離をＬ７、
上記漉し器本体と上記ガイドとの距離をＬ８としたとき
Ｌ１＜Ｌ２、
Ｌ６＜Ｌ５とし
Ｌ３、Ｌ４、Ｌ７、Ｌ８は上記漉し器本体や上記操作棒や上記保持部材や上記カップ内壁や上記ガイドが滑合できる間隙をもっているものである。
【発明の効果】
【００１４】
従来のカップでティーパックを使用する際にはティーパックの取り出しや置き皿の準備、またティーパックに入っていない茶葉等を使用する際にはティーポットや急須等抽出に必要な道具を準備しなくてはいけなかったが、本発明はカップ内に漉し器を配置し任意の位置に保持する機能を持っているのでティーパックを取り出す手間や置き皿、ティーポット、急須等抽出に必要な道具等の準備が必要なくなった。また机上で多くの道具が無い為に誤って道具等を倒して机上を汚してしまうことも無くなり能率的に机上を使用することができる。
【００１５】
従来のカップでティーパックを使用する際、カップにティーパックが入ったままでカップ内の飲料を飲もうとするとティーパックが振り子状に揺れ飲みづらいだけでなく顔や衣服に飲料がかかってしまうことがあったが本発明は漉し器が振り子状に動かないようにガイドが設けられており従来のように顔や衣服に飲料がかかることはなく快適に使用することができる。
【００１６】
従来、カップの深さより短いスプーンを抽出物の攪拌に使用した場合スプーンが液体に浸かってしまい取り出せなくなり飲料が飲みづらいことがあった。本発明では漉し器に接合された操作棒がスプーンの代わりになるが長さを指定することにより従来のように液体に浸かることがなく安心して使用することができる。
【００１７】
従来、ティーパックを使用するとき、取り皿の準備が出来ずにカップから取り出せずに必要以上に抽出され過ぎた飲料を飲むことがあった。本発明は漉し器がカップの底部に降着、またはガイドに沿って上下動することにより抽出、攪拌し希望の抽出濃度に達した後は液体内以外に漉し器を保持することにより必要以上の抽出は避けられ希望の濃さの飲料を飲むことができる。またティーパック、茶葉等を室温より温度が高いコップ内に置くことで二杯目以降お湯を入れて再度抽出する際急激に温度を下げることもない。
【００１８】
上述したように本発明の飲用カップは、ティーパックの取り出しや置き皿、ティーポットや急須等抽出に必要な道具の準備等の煩わしさから開放するとともに、自分の好みのティーパックに入っていない茶葉等を使って好みの濃さで所定の飲料を楽しむことが出来る飲用カップを提供できる。
【００１９】
また、抽出されすぎた為に本来なら複数杯の飲料を抽出出来た筈のティーパックを無駄にしないという経済的効果をも発揮するものである。
【発明を実施するための最良の形態】
【００２０】
以下、本発明の実施の形態を図１〜図８に基づいて説明する。
【００２１】
図１に示すように、本発明の実施例は飲用カップ１と、飲用カップ１内に配設される漉し器本体２ａと操作棒２ｃ、また漉し器本体２ａの動きを規制するガイド１ａから構成されている。
漉し器本体２ａの内部には図示していないがティーパックまたはティーパックに入っていない希望の茶葉等が配される。
なお、飲用カップ１、漉し器本体２ａ、操作棒２ｃ、ガイド１ａはステンレス、プラスチック、アクリル、アルミニュウム、ガラス、陶器、ラバーまたはこれらを組み合わせたものであるが、必ずしもこれに限定されるものではなく、特に材質は問わない。
【００２２】
図２に示すように、飲用カップ１内に配設される漉し器２は漉し器本体２ａ、漉し器の蓋２ｂ、操作棒２ｃ、接合部材２ｄ、止め具２ｅ  が連結されて次のように構成されている。
漉し器本体２ａは筒状で少なくとも一部が網状、または型抜き状で漉し器本体２ａ内部にティーパックまたはティーパックに入っていない希望の茶葉等を配し熱湯等の液体で抽出する目的があるため液体が自由に通過でき、尚且つ、茶葉等の流出を防ぐ事ができる適選な大きさの孔が開いていることが望ましい。
【００２３】
漉し器の蓋２ｂは漉し器本体２ａの上部に取り付けられるが一方は漉し器本体２ａに固定され他方はティーパックやティーパックに入っていない茶葉等の出し入れ時、開閉出来るように蝶番等で作動が可能になっている。
また、漉し器本体２ａに固定されている漉し器の蓋２ｂ一方の上部に接合部材２ｄを軸持する為の止め具２ｅが固定されている
【００２４】
漉し器本体２ａ上部に固定された蓋２ｂと操作棒２ｃが接合部材２ｄと止め具２ｅとによって揺動可能に軸支され漉し器２が構成されている。
【００２５】
ティーパックやティーパックに入っていない茶葉等の出し入れの為の作動が可能な蓋は、ティーパック等液体中での飛散が無い場合は必ずしも必要としない。
【００２６】
図３に示すように、操作棒２ｃはある一定の間隔を保った二重構造になっており、その間隔は接合部材２ｄが自由に移動出来るだけの幅をもっていることが望ましい。
【００２７】
図４、図５に示すように飲用カップ１の内側には漉し器本体２ａに接合されている操作棒２ｃを収納する為の凹型の溝が設けられている。またその溝の飲用カップ１の入り口付近に保持部材１ｂがあるがこの保持部材１ｂが漉し器本体２ａを支える為の支点となる。
図示はしていないが凹型の溝の代わりに飲用カップ１内の保持部材１ｂを直線ではなく飲用カップ１の内側に凸型の保持部材１ｂとして設け支点としてもよい。
【００２８】
また飲用カップ１内を漉し器本体２ａが無秩序に動き回らないように、ガイド１ａが飲用カップ１開口部より飲用カップ１の底部に向けほぼ平行に設置され二つのガイド１ａと飲用カップ１の内壁との三点で漉し器本体２ａが決められた範囲内のみ移動するようにした。また漉し器本体２ａの出し入れは飲用カップ１の開口部側のみで飲用カップ１の底部側より出し入れできないようにガイド１ａの始端から飲用カップ１の底部までの距離は漉し器本体２ａの高さより短いこととする。
図示はしていないがガイド１ａは漉し器本体２ａの動きを制限することが目的であるため、目的が達成できるのであれはガイドの形状、数、長さ等は必ずしもこれに限定されるものではない。
【００２９】
図６には操作棒２ｃの収納時と非収納時における関係部品の動き方を示したものである操作棒２ｃ非収納時：抽出、攪拌する時は図示されているように操作棒２ｃ、接合部材２ｄ、止め具２ｅが一列に並び漉し器本体２ａが飲用カップ１内に設置されたガイド１ａに沿って上下移動する。
操作棒２ｃ収納時：図示されているように非収納時との一番の違いは接合部材２ｄの向きである。接合部材２ｄが飲用カップ１の外周縁側に倒れることにより操作棒２ｃの軌道が変わり、操作棒２ｃを飲用カップ１内に作られた収納スペースに収納することができる。
また、収納スペースは飲用カップ１の内側に設けられている為、操作棒２ｃからの雫が飲用カップ１の外に垂れることはない。
【００３０】
図７は抽出時及び非抽出時における漉し器本体２ａ、保持部材１ｂ、水位等の位置関係を示したものである。
当然
Ｈ４＜Ｈ１
であり、また
Ｈ２＞Ｈ３
になる。
漉し器本体２ａにティーパックやティーパックに入っていない茶葉等を入れた後、液体を入れるが抽出させる為には漉し器本体２ａが飲用カップ１の底部に降着した時
Ｈ４＞Ｈ３
になる。
また漉し器本体２ａを保持部材１ｂに保持させ抽出を中止したい時
Ｈ４＜（Ｈ２−Ｈ３）
になる。
水位Ｈ４があまりにも高い場合漉し器本体２ａは保持部材１ｂにより保持されても
Ｈ４＞（Ｈ２−Ｈ３）
になる場合が考えられるが、飲用カップという用途を考えた時、微量でも飲み進めることを考えると
Ｈ４＜（Ｈ２−Ｈ３）
になるのは容易である。
【００３１】
図８漉し器本体２ａが保持部材１ｂによって保持され操作棒２ｃが収納されたときの漉し器本体２ａ、操作棒２ｃ、保持部材１ｂ、飲用カップ１の内壁、ガイド１ａ等の位置関係を示したものである。
図示されているように
Ｌ１＜Ｌ２
Ｌ６＜Ｌ５
であり
Ｌ３、Ｌ４、Ｌ７、Ｌ８は漉し器本体２ａや操作棒２ｃや保持部材１ｂや飲用カップ１の内壁やガイド１ａが滑合できる間隙をもっている。
【００３２】
請求項１に記載の容器で扱うものは一般には水であるが、お湯であってもよくまた他の液体、例えばアルコールでもよい。
【００３３】
本発明の実施例説明において使用されるすべての物の材質は、一般的に食器等に使用されている材質を使用するものとする。例えばステンレス、プラスチック、アルミニュウム、ガラス、陶器、ラバーまたはこれらを組み合わせたものであるが、必ずしもこれに限定されるものではなく、特に材質は問わない。
【００３４】
容器については飲用カップを事例として説明する。
【００３５】
本発明の実施例説明では、カップ本体は紅茶等でのカップになっているが、図示されてはいないが麦茶等のアイスポット、漢方薬の煮出し器、やかん、出し汁取り用の寸胴等であってもよい。
【００３６】
本発明の実施例説明では、ティーパック又はティーパックに入っていない茶葉等となっているが、抽出するもの、抽出することを目的にしたもので例えば、日本茶、ハーブティー、漢方薬、薬草等ダシ（ガラ、煮干、カツヲブシ、野菜他）であってもよい。
【図面の簡単な説明】
【００３７】
【図１】カップ斜面図
【図２】漉し器斜面図
【図３】操作棒前面図、側面図
【図４】カップ上図
【図５】カップ本体斜面図
【図６】操作棒収納図、非収納図
【図７】水位との関係図
【図８】各部の間隙関係図
【符号の説明】
【００３８】
１    飲用カップ
１ａ  ガイド
１ｂ  保持部材
２    漉し器
２ａ  漉し器本体
２ｂ  蓋      
２ｃ  操作棒
２ｄ  接合部材
２ｅ  止め具
Ｈ１  カップ底部からカップ上端開口部までの高さ
Ｈ２  カップ底部から保持部材までの高さ
Ｈ３  漉し器の高さ
Ｈ４  カップに液体を入れたときの水位
Ｌ１  保持部材の幅
Ｌ２  漉し器本体と操作棒との距離
Ｌ３  保持部材と漉し器本体との距離
Ｌ４  保持部材と操作棒との距離
Ｌ５  保持部材とカップの内壁との距離
Ｌ６  操作棒の幅
Ｌ７  操作棒とカップの内壁との距離
Ｌ８  漉し器本体とガイドとの距離
【図１】
2007244541.tif 000003
【図２】
2007244541.tif 000004
【図３】
2007244541.tif 000005
【図４】
2007244541.tif 000006
【図５】
2007244541.tif 000007
【図６】
2007244541.tif 000008
【図７】
2007244541.tif 000009
【図８】
2007244541.tif 000010